(57)【要約】【課題】市場に存在する光学的情報読取装置の動作や動作パラメータ内容を容易に変更する方法を提供する。【解決手段】光学的情報読取装置は、光学的情報からの反射光を結像する結像部と、結像された光を受光し信号に変換する受光部と、受光部からの信号に基づいて復号する復号部とを有し、動作内容を予め光学的情報を読み取ることで設定可能な光学的情報読取装置において、前記動作内容としてネットワーク上のアドレス、または携帯電話に情報を送信する動作が設定されている。この構成によれば、光学的情報の読み取りによりネットワーク上のアドレス、または携帯電話に情報を送信する動作を容易に変更することができる。【選択図】  図１
2004326686.tif 000002
【特許請求の範囲】
【請求項１】
光学的情報からの反射光を結像する結像部と、結像された光を受光し信号に変換する受光部と、受光部からの信号に基づいて復号する復号部とを有し、動作内容を予め光学的情報を読み取ることで設定可能な光学的情報読取装置において、前記動作内容としてネットワーク上のアドレスに情報を送信する動作が設定されている光学的情報読取装置。
【請求項２】
光学的情報からの反射光を結像する結像部と、結像された光を受光し信号に変換する受光部と、受光部からの信号に基づいて復号する復号部とを有し、動作内容を予め光学的情報を読み取ることで設定可能な光学的情報読取装置において、前記動作内容としてネットワーク上のアドレスへの情報送信を外部通信端末に命令する動作が設定されている光学的情報読取装置。
【請求項３】
動作内容に光学的情報自体の識別番号またはこの光学的情報の使用者の情報を付加する命令を含む請求項１または２いずれかに記載の光学的情報読取装置。
【請求項４】
光学的情報からの反射光を結像する結像部と、結像された光を受光し信号に変換する受光部と、受光部からの信号に基づいて復号する復号部とを有し、動作内容を予め光学的情報を読み取ることで設定可能な光学的情報読取装置において、前記動作内容としてネットワーク上のアドレスに情報を送信する動作が設定されている光学的情報読取装置と、前記光学的情報読取装置の命令によって前記ネットワーク上のアドレスに接続する携帯通信端末とからなる通信システム。
【請求項５】
光学的情報読取装置から携帯通信端末に対して、前記携帯通信端末のキー操作命令を含むプログラムが送信される請求項４記載の通信システム。
【発明の詳細な説明】
【０００１】
【発明の属する技術分野】
本発明はインターネット接続・閲覧機能付き携帯電話に代表される携帯通信端末に接続する光学的情報読取装置と前記光学的情報読取装置を用いた通信システムに関するものである。
【０００２】
【従来の技術】
近年、インターネット接続・閲覧機能付き携帯電話の普及に伴い、これら携帯電話を利用した商品発注システムが実用化されている。（例えば特許文献１参照）
従来の商品発注システムについて、従来のシステム構成を示す図１４〜図１６を用いて説明する。
【０００３】
図１４は従来のシステム構成を示す図、図１５は従来の業務用サーバより提供される画面の一例を示す図、図１６は従来の業務用サーバに格納されている商品マスタの情報の一実施例を示す図である。
【０００４】
図１４において、３０１はデータの収集や配信を行う従来型の業務用サーバであり、このサーバでは広域で使用されるインターネット接続・閲覧機能付き携帯電話３０２と従来型の光学的情報読取装置３０３から送信されるデータの蓄積、加工及びサーバ内で管理される情報を提供することができる。
【０００５】
業務用サーバ３０１には、商品コードに対応する在庫・納期・単価などの情報が商品マスタとして格納されており、携帯電話３０２から入力される商品コードに対応して、該当商品の在庫・納期・単価情報を検索し、携帯電話３０２に提供する機能を有している。
【０００６】
ここでインターネット接続・閲覧機能付き携帯電話３０２を一例として説明するが、この３０２は同等の機能を有するＰＨＳ等の携帯通信端末であってもよい。
【０００７】
従来の商品発注用通信システムの使用者は外出先から携帯電話３０２を利用して無線通信網を経由してインターネットに接続し、商品情報確認用の業務用サーバ３０１に接続する。一般的に携帯電話３０２を用いてインターネットに接続するためには図１５の４００に示すような携帯電話３０２のインターネット接続用の画面から該当サーバのＵＲＬを入力して接続する。
【０００８】
業務用サーバ３０１に接続すると携帯電話３０２の表示部３０７には図１５の４０１に示す接続認証の為のログイン画面が表示される。
【０００９】
使用者は業務用サーバ３０１との接続認証（ログイン）の為に、ユーザＩＤとパスワードを入力する。
【００１０】
業務用サーバ３０１ではサーバ内で管理するユーザＩＤ、パスワードの情報と、使用者が入力したユーザＩＤ、パスワード情報の検証を行い、システムを使用する正当な使用者である場合は、図１５の４０２に示すような商品コード入力画面を携帯電話３０２に提供する。
【００１１】
使用者は、携帯電話３０２に表示される画面（図１５の４０２）で商品コードを携帯電話３０２に入力する。画面上に配置される送信ボタンを指示する操作を行うことで、商品コード入力欄に入力した商品コードは携帯電話３０２経由で業務用サーバ３０１に送信される。業務用サーバ３０１では、管理している商品マスタと受信した商品コードの照合処理を行い、該当コードの商品名・単価・納期などを携帯電話３０２に提供する。
【００１２】
携帯電話３０２ではサーバより取得した商品名・単価・納期等の情報を表示部に表示する（図１５の４０３）。この表示により使用者は広域にわたり、入力した商品コードに該当する在庫・納期・単価等の情報を取得することが可能である。
【００１３】
業務用サーバ３０１は、前記の仕組みにより光学的情報３０４にコード化されて格納されている情報を収集することもできる。
また本システムは商品の受発注システムとしても利用可能である。使用者は発注する商品の商品コードを携帯電話３０２に入力し、購入個数を同じく入力する。この商品コードデータを携帯電話３０２経由で業務用サーバ３０１に送信する。図１６は業務用サーバ３０１に格納されている商品マスタの有する情報の一例である。
【００１４】
業務用サーバ３０１側では管理する商品マスタと、商品コードの照合及び、該当する商品の在庫数の確認を行い、発送可能数量で有れば該当する商品の発送処理を行う。この時に納期情報や購入した商品の合計金額の情報を業務用サーバ３０１から携帯電話３０２に送信する。携帯電話３０２では業務用サーバ３０１より取得した納期情報や購入した商品の合計金額の情報を携帯電話３０２の画面３０７に表示することで、使用者は発注した商品の納期や発注金額を外出先より知ることができる。
【００１５】
上記のシステムでは、商品コードにて該当商品に関する情報を引き出す必要があるが、この商品コードとして一般的に使用されるコードは  １３桁のＥＡＮ−１３コード、８桁のＥＡＮ−８コードと呼ばれる数字情報で管理されていることが多い。このため使用者が手操作にて数字情報を入力する際には入力の為の時間が必要であり、この桁数の多さから入力ミスが多いなどの問題があった。
【００１６】
これらのデータ入力の煩わしさを解決するために、携帯電話３０２にバーコードリーダなどの光学的情報読取装置３０３を接続し、商品のバーコードをこれら光学的情報読取装置で読み取り、携帯電話３０２の有する入出力ポートから、使用者が手操作にて入力するのと同様に商品コードを携帯電話３０２に入力する方法が採用されているシステムもある。この方法では、携帯電話３０２のキーボード３０５を用いての手操作による入力に比較して、データ入力速度及びデータの正確性は向上し、より効率的なデータ入力システムの構築が可能である。
【００１７】
上記システムでの個人認証の方法としては業務用サーバ３０１に接続する携帯電話３０２及び光学的情報３０４に個人認証情報を格納して、この個人認証情報を光学的情報読取装置３０３、携帯電話３０２を経由して業務用サーバ３０１に送信することで認証を行う方法等がある。
【００１８】
上記説明で用いた業務用サーバ３０１が提供する画面については、一例であり同等の機能を実現する別の画面でもよい。
【００１９】
また、バーコードリーダを有する情報家電と食品情報サーバにより構成される食品情報取得システムにおいて、食品に印刷されているバーコードを読み取ることで情報家電から食品情報サーバに接続し、食品に係わる情報を取得する方法が公開されている。（例えば特許文献２参照）
【００２０】
【特許文献１】
特願２００２−９２４１２
【特許文献２】
特開２００３−８３６６９号公報
【００２１】
【発明が解決しようとする課題】
しかしながら、上記従来の構成では、予め接続するための業務用サーバ３０１のＵＲＬや、業務用サーバ３０１が提供するデータ入力画面（図１５  ４０１）に対して、適切にデータを入力するための操作情報などを、光学的情報読取装置３０３内部に記憶して利用しているため、業務用サーバ３０１のＵＲＬが変更された場合や、サーバにより提供される画面４０１に変更が発生した場合は、光学的情報読取装置３０３内部に記憶されている情報を書き替える必要がある。
【００２２】
またシステムの運用中に、システム運用の改善または効率化を図るため、光学的情報読取装置３０３の内部に有するＵＲＬ情報の変更や、識別番号の変更や内部プログラムのバージョンアップまたは、光学的情報入力装置３０３を動作させる電池の電圧情報などを取得し、業務用サーバ３０１側で活用するなど多くの変更要望がよせられる。
【００２３】
このような場合、既に市場に配付した光学的情報読取装置を全て回収し、内部のパラメータやプログラムを書き換え、再度市場に配付し、システムを再稼働する必要があった。しかし、市場に配布した光学的情報読取装置を回収し、これらの各種要望を実現したファームウェアやパラメータ情報に書き替えることは非常に難しく、非効率的であった。このため、既に市場に配付された光学的情報読取装置３０３内部の情報を容易に書き換る方法が望まれていた。
【００２４】
本発明は、上記従来の課題に鑑み、光学的情報読取装置３０３内部の動作情報を書き換え可能な機能を有する光学的情報読取装置を提供することを目的とする。
【００２５】
【課題を解決するための手段】
上記目的を達成するために、本発明の光学的情報読取装置は、光学的情報からの反射光を結像する結像部と、結像された光を受光し信号に変換する受光部と、受光部からの信号に基づいて復号する復号部とを有し、動作内容を予め光学的情報を読み取ることで設定可能な光学的情報読取装置において、前記動作内容としてネットワーク上のアドレス、または携帯電話に情報を送信する動作が設定されている。
【００２６】
この構成によれば、光学的情報の読み取りによりネットワーク上のアドレス、または携帯電話に情報を送信する動作を容易に変更することができる。
【００２７】
また、本発明の光学的情報読取装置は、光学的情報からの反射光を結像する結像部と、結像された光を受光し信号に変換する受光部と、受光部からの信号に基づいて復号する復号部とを有し、動作内容を予め光学的情報を読み取ることで設定可能な光学的情報読取装置において、前記動作内容としてネットワーク上のアドレスへの情報送信を外部通信端末に命令する動作が設定されている。
【００２８】
この構成によれば、光学的情報の読み取りによりネットワーク上のアドレスのへの情報送信を外部通信端末に命令する動作を容易に変更することができる。
【００２９】
また、本発明の光学的情報読取装置は、動作内容に光学的情報自体の識別番号またはこの光学的情報読取装置の使用者の情報を付加する命令を含む。
【００３０】
この構成によれば、メンテナンス用サーバは、書き換え作業の進捗を光学的情報自体の識別番号またはこの光学的情報読取装置の使用者の情報に基づいて管理できる。
【００３１】
また、本発明の通信システムは、光学的情報からの反射光を結像する結像部と、結像された光を受光し信号に変換する受光部と、受光部からの信号に基づいて復号する復号部とを有し、動作内容を予め光学的情報を読み取ることで設定可能な光学的情報読取装置において、前記動作内容としてネットワーク上のアドレスに情報を送信する動作が設定されている光学的情報読取装置と、前記光学的情報読取装置の命令によって前記ネットワーク上のアドレスに接続する携帯通信端末とからなる。
【００３２】
この構成によれば、通信システムは光学的情報読取装置による光学的情報の読み取りにより、携帯通信端末によるネットワーク上のアドレスへ接続する動作を容易に変更することができる。
【００３３】
また、本発明の通信システムは、光学的情報読取装置から携帯通信端末に対して、前記携帯通信端末のキー操作命令を含むプログラムが送信される。
【００３４】
この構成によれば、通信システムは光学的情報読取装置側の処理方法を変更するだけで通信システムの運用方法を変えることができる。この結果、携帯通信端末が新機種に切り替わった場合でも光学的情報読取装置だけを設定変更するだけで済むので新システムの導入コストを削減できる。
【００３５】
【発明の実施の形態】
（実施の形態１）
以下、本発明を図面に基づいて説明する。
【００３６】
図１は本発明の一実施の形態における通信システムの構成を示す図である。
【００３７】
本発明の通信システムは、光学的情報読取装置１０３とインターネット接続・閲覧機能付き携帯電話１０２とデータ格納部１１１を有する業務用サーバ１０１から構成される。
【００３８】
図１において、１０１はデータの収集や配信を行う業務用サーバであり、このサーバでは広域で使用されるインターネット接続・閲覧機能付き携帯電話１０２と本発明の光学的情報読取装置１０３から送信されるデータの蓄積、加工及びサーバ内で管理される情報を提供することができる。
【００３９】
図２はインターネット接続・閲覧機能付き携帯電話の画面構成を示す図である。
【００４０】
携帯電話１０２を用いてインターネットに接続するためには図２の２００に示すような携帯電話１０２のインターネット接続用の画面から該当サーバのＵＲＬを入力して接続する。
【００４１】
業務用サーバ１０１に接続すると携帯電話１０２の表示部１０７には図２の２０１に示す接続認証の為のログイン画面が表示される。
【００４２】
使用者は業務用サーバ１０１との接続認証（ログイン）の為に、予めシステム提供者から与えられたユーザＩＤ、パスワードを入力する。
【００４３】
業務用サーバ１０１ではサーバ内で管理するユーザＩＤ、パスワードの情報と、使用者が入力したユーザＩＤ、パスワード情報の検証を行い、システムを使用する正当な使用者である場合は、図２の２０２に示すような商品コード入力画面を携帯電話３０２に提供する。
【００４４】
使用者は、携帯電話１０２に表示される画面（図２の２０２）で商品コードを携帯電話１０２に入力する。画面上に配置される送信ボタンを指示する操作を行うことで、商品コード入力欄に入力した商品コードは携帯電話１０２経由で業務用サーバ１０１に送信される。業務用サーバ１０１では、管理している商品マスタと受信した商品コードの照合処理を行い、該当コードの商品名・単価・納期などを携帯電話１０２に提供する。
【００４５】
携帯電話１０２ではサーバより取得した商品名・単価・納期等の情報を表示部に表示する（図２の２０３）。この表示により使用者は広域にわたり、入力した商品コードに該当する在庫・納期・単価等の情報を取得することが可能である。
【００４６】
業務用サーバ１０１は、前記の仕組みにより光学的情報１０４にコード化されて格納されている情報を収集することもできる。
【００４７】
業務用サーバ１０１のデータ格納部１１１には、商品コードに対応する在庫・納期・単価などの情報が商品マスタとして格納されており、携帯電話１０２から入力される商品コードに対応して、該当商品の在庫・納期・単価情報を検索し、携帯電話１０２に提供する機能を有している。
図３は業務用サーバ３０１のデータ格納部１１１に格納されている商品マスタの有する情報の一実施例を示す図である。
【００４８】
さらに、業務用サーバ１０１は、広域で使用されている携帯電話１０２に対して情報を配信することもでき、業務用サーバ１０１のデータ格納部１１１には、光学的情報読取装置１０３の動作内容の変更を行うための情報を格納している。動作内容の変更を行うための情報の詳細については、図７、８、９、１１、１２、１３において説明する。
【００４９】
通信手段１１０は、光学的情報読取装置１０３の有する入出力ポート１１９と携帯電話１０２の有する入出力ポート１１９を接続してデータの双方向通信が可能である。
【００５０】
この通信手段１０７は、ケーブルを用いる有線接続であってもよいし、赤外線通信等の無線接続であってもよい。
【００５１】
携帯電話１０２は、業務用サーバ１０１とのデータ送受信部１０６、及び無線通信網、インターネット網を経由して業務用サーバ１０１とのデータ送受信が可能である。
【００５２】
光学的情報読取装置１０３はコード化された光学的情報１０４に格納される情報を光学的に読み取り、携帯電話１０２に通信手段１１０を利用して送信する。
【００５３】
携帯電話１０２はこの光学的情報１０４に格納されている情報をデータ送受信部１０６を利用して業務用サーバ１０１に送信することができる。ここでは、無線通信網とインターネット網を使用して説明したが、同様のデータ送信方法として、携帯電話１０２が有するパケット通信方法を利用しても実現できる。
【００５４】
また、携帯電話１０２からサーバへのデータ送信の手段として、携帯電話１０２が有するインターネット接続機能を用いることもできるし、携帯電話１０２上で動作する使用者プリケーションを用いてサーバにアクセスしてもよい。
【００５５】
一実施例として、光学的情報に商品コード、業務用サーバ１０１に商品コード、商品名、在庫、単価などの情報が格納された商品マスタが配置されている通信システムでは、光学的情報読取装置１０３にて読み取られて商品コードは、携帯電話１０２を経由して、業務用サーバ１０１に送信される。業務用サーバ１０１では、受信した商品コード情報に該当する商品名、在庫情報、単価情報を携帯電話１０２に送信する。
【００５６】
携帯電話１０２及び光学的情報読取装置１０３の使用者は、業務用サーバ１０１から提供された商品名、在庫情報、単価情報などを携帯電話１０２が有する表示部１０７において確認することが可能である。
【００５７】
本通信システムにおいては携帯電話１０２が業務用サーバ１０１とデータ通信可能な範囲において、光学的情報読取装置１０３を用いてデータ収集、情報配信が可能である。
【００５８】
光学的情報読取装置１０３について、詳細に説明する。
【００５９】
図４は、光学的情報読取装置１０３のブロック図の一例を示す図である。
【００６０】
光学的情報読取装置１０３は、読取結果や操作指示を表示する表示部１０８、キー操作を行うキー入力部１０９、光学的情報からの反射光を結像する結像部１１２、プログラムを格納するプログラム格納部１１３、読み取ったデータを格納する読取データ格納部１１４、装置全体を制御する制御手段１１５、光学的情報読取装置１０３自体の識別番号と動作パラメータを格納する動作パラメータ格納部１１６、結像された光を受光し信号に変換する受光部１１７、受光部１１７からの信号に基づいて復号する復号部１１８、外部機器とデータの送受信を行う入出力ポート１１９を有しており、これらは制御手段１１５を用いて、プログラムに定める通り制御することが可能である。
【００６１】
また、入出力ポート１１９を利用して外部に接続される携帯電話１０２などの外部機器とのデータ通信が可能である。またプログラム格納部１１３には携帯電話１０２などの外部機器と通信する時に必要な通信プロトコル（通信手順）が格納され、制御手段を用いて実行することができる。
【００６２】
動作パラメータは入出力ポート１１９を経由して外部機器から得たパラメータを格納し、プログラム動作時にこの動作パラメータに従い動作する機能を有する。
【００６３】
なお、本説明では情報記録媒体として光学的情報のバーコードと、バーコードを読み取る光学的情報読取装置と説明しているが、機器構成及び情報記録媒体を変えることで、２次元コードリーダ、光学的文字情報読取装置、ＩＣタグリーダなどでもよい。
【００６４】
さらに、入出力ポート１１９は、無線通信を実現する赤外線通信ポート等を用いてもよいし、有線通信を行うシリアル通信を実現するシリアルポート等を用いてもよい。
【００６５】
光学的情報読取装置１０３は、入出力ポート１１９を経由し携帯電話１０２が有するインターネット接続機能を利用して、動作パラメータ格納部１１６に設定されているＵＲＬに接続し、その情報を携帯電話１０２の表示部に表示することができる。
【００６６】
また動作パラメータ格納部１１６に設定されているメール宛先情報やメールタイトル情報等と携帯電話１０２が有するメール送信機能を利用して、読み取った光学的情報の内容をメールデータとして業務用サーバ１０１またはメール受信機能を有する端末に読み取ったデータを送信する事が可能である。
【００６７】
光学的情報読取装置１０３は、読み取った光学的情報を入出力ポート１１９を利用して携帯電話１０２に送信することができる。携帯電話１０２に送信するデータに携帯電話１０２のキーボード１０５のキー操作命令を含むことができ、光学的情報を読み取ることで携帯電話１０２のキーボード１０５を操作するのと同等の操作ができる。
【００６８】
また入出力ポート１１９が携帯電話１０２と接続されていない場合は、読み取った光学的情報を読取データ格納部１１４に格納する事が可能である。また読取読取データ格納部１１４に格納された情報は、光学的情報読取装置１０３のキー入力部からの操作等で携帯電話１０２に送信することが可能である。
【００６９】
光学的情報読取装置１０３の有する他の機能としては下記がある。
【００７０】
光学的情報読取装置１０３の識別を行うための識別番号の保持及び携帯電話１０２への送信機能。携帯電話１０２の有する携帯電話番号を、入出力ポート１１９経由で取得する機能。前記取得した携帯電話１０２の番号を携帯電話１０２に入出力ポート１１９経由で送信する機能。光学的情報読取装置は乾電池や再充電可能なバッテリー等で動作するが、これらの電池・バッテリーの電圧を監視し、入出力ポート１１９経由で送信する機能。読取読取データ格納部１１４に格納されたデータを入出力ポート１１９経由で送信する機能。及び読取読取データ格納部１１４に格納されたデータを消去する機能を有している。
【００７１】
動作パラメータ格納部１１６には、接続する業務サーバ１０１のＵＲＬや、メール送信する際に必要な、メールアドレス、タイトル情報、光学的情報読取装置の識別番号などが格納されている。
【００７２】
次に光学的情報１０４を用いて、光学的情報読取装置１０３の動作内容の切り替えまたは動作パラメータ格納部１１６に格納されている情報の変更を行う方法について説明する。
【００７３】
図５は、インターネット接続処理のフローを示す図である。
【００７４】
図５において、光学的情報読取装置１０３は携帯電話１０２をインターネットに接続するために、ＵＲＬ入力が可能な状態にするための信号を携帯電話１０２に入出力ポート１１９を経由して送信する。（ＳＴＥＰ５０１）
この信号により携帯電話１０２は外部機器または携帯電話１０２の有するキーボード１０５からのＵＲＬ入力が可能となる。
【００７５】
次に、光学的情報読取装置１０３は動作パラメータ格納部１１６に格納されるＵＲＬを送信する。（ＳＴＥＰ０２）
携帯電話１０２には、光学的情報読取装置から受信したＵＲＬが設定される。一般的に携帯電話１０２は、ＵＲＬ入力を確定するために、何らかのキー操作または信号を入力する必要がある。
【００７６】
光学的情報入力装置１０３はＵＲＬを確定して、携帯電話１０２に設定したＵＲＬに接続するために、ＵＲＬ入力を確定するための信号を携帯電話１０２に送信する。（ＳＴＥＰ５０３）
携帯電話１０２は、このＳＴＥＰ５０３により、設定されたＵＲＬに接続し、該当情報を業務用サーバ１０１から取得し、表示部に表示する。
【００７７】
次にメール送信処理について説明する。
【００７８】
図６は、メール送信処理のフローを示す図である。携帯電話１０２のメール機能を利用して、業務用サーバまたはメール受信機能を有する端末に光学的情報読取装置１０３からデータを送信するための手順について説明する。
【００７９】
図６において、光学的情報読取装置１０３は、予めメールデータとして送信するための光学的情報を読み取って内部の読取読取データ格納部１１４にデータを格納している状態とする。
【００８０】
光学的情報読取装置１０３は携帯電話１０２をメール入力可能にするための信号を入出力ポート１１９を経由して送信する。（ＳＴＥＰ６０１）
ＳＴＥＰ６０１には宛先メールアドレスの設定、及びメールタイトルの設定等の操作を含むこともできる。携帯電話１０２は本ＳＴＥＰ６０１の信号を受信することでメール送信が可能な状態となる。
【００８１】
次に光学的情報読取装置１０３は、読取読取データ格納部１１４に格納したデータを携帯電話１０２に送信する。（ＳＴＥＰ６０２）
一般的に携帯電話１０２は、メールデータを確定するために、何らかのキー操作または信号を入力する必要がある。
【００８２】
光学的情報読取装置（１０３）は入力したメールデータを確定して、メールを送信するために、メールデータを確定・送信するための信号を携帯電話１０２に送信する。（ＳＴＥＰ６０３）
なお、図５及び図６に示す処理フローは、予め工場出荷時に光学的情報読取装置１０３に設定される基本機能である。しかし、市場の要望として、光学的情報読取装置１０３が有する各種機能を用いて、これら機能を利用して得られる情報をメールデータまたはＵＲＬに付加して送信することや、ＵＲＬに光学的情報読取装置１０３から得られるデータを付加して使用者個別認証を行うシステム構成としたりする等の変更要求がシステム運用面で発生する場合があった。
【００８３】
次にこれらのシステムまたは光学的情報読取装置１０３の機能の変更について説明する。
【００８４】
図１において光学的情報読取装置１０３の機能を変更するための手段として光学的情報１０４を利用する。光学的情報読取装置１０３は光学的情報１０４に格納される動作情報を解釈・実行する機能を有している。
【００８５】
光学的情報１０４に光学的情報読取装置１０３に実行させたい機能をデータとして記載し、光学的情報読取装置１０３にて本光学的情報１０４を読み取ることで、該当する動作を実行可能とする。
【００８６】
また光学的情報１０４に、光学的情報読取装置１０３の動作パラメータ格納部１１６に格納されている情報を置き換えるための情報を格納し、光学的情報読取装置１０３にて本光学的情報１０４を読み取ることで、動作パラメータ格納部１１６に格納する情報として識別し、動作パラメータ格納部１１６に格納されている該当情報と置き換えることも可能である。
【００８７】
このため、光学的情報読取装置１０３のプログラム格納部１１３に格納されるプログラムでは光学的情報１０４に格納されるデータに応じた動作が可能となっている。
【００８８】
ここで光学的情報読取装置１０３の動作を定義するための光学的情報１０４であるが、一般的に光学的情報１０４はＪＡＮコード等の商品コードを表すコードが使用されている。また市場には各種業務用途に利用する光学的情報１０４が存在するため、光学的情報読取装置１０３にて読み取った時に、その光学的情報１０４が光学的情報読取装置１０３の動作を定義した光学的情報１０４であることを識別させるための工夫が必要である。
【００８９】
本発明では、光学的情報読取装置１０３の動作を定義するための情報、または動作パラメータ格納部１１６の情報を置き換えるための情報を格納した光学的情報１０４をマクロラベルと定義する。
【００９０】
図７はマクロラベルの内部に格納されるデータ構成を示す図である。
【００９１】
市場に存在する他の業務用ラベルと識別するための識別子を左右に配置している。識別子の間には光学的情報読取装置１０３の動作を定義するための設定データが格納されている。
【００９２】
この識別子に用いる符号をマクロ識別子と定義する。このマクロ識別子により設定データの意味を変更する事が可能である。
【００９３】
図８はマクロ識別子と意味の一例を関連付けした図である。
【００９４】
例えば、光学的情報読取装置１０３の機能を呼び出すための設定データは「＄」で挟む。光学的情報読取装置１０３の動作パラメータ格納部１１６の内部情報を変更するための設定データは「＃」で挟むことで表記する。
【００９５】
光学的情報読取装置１０３ではこれらのデータを読み取った時に、一般のラベルと区別して動作モードを切り換える。
【００９６】
図９は光学的情報読取装置１０３に格納されるプログラムのフロ−を示す図である。
【００９７】
光学的情報読取装置１０３は光学的情報を読み取る。（ＳＴＥＰ９０１）、読み取られたデータがマクロラベルかどうかを判別する（ＳＴＥＰ９０２）、マクロラベルでない場合は通常の読取データの処理を実施する。（ＳＴＥＰ９０４）ここでＳＴＥＰ９０４の読取データの処理として、携帯電話１０２と接続される入出力ポート１１９に読み取った光学的情報を送信することもできるし、読み取った光学的情報を光学的情報読取装置１０３内部の読取読取データ格納部１１４に記憶することもできる。かつこれらの動作モードの切り替えを携帯電話１０２と接続有無によって自動的に切り換えることもできる。
【００９８】
また、読み取られた光学的情報がマクロラベルの場合は該当マクロを実行する。ここでマクロとは、ＵＲＬ入力前処理等の機能の呼び出しであってもよいし、動作パラメータ格納部１１６のパラメータ内容の置き換えなどの処理であってもよい。
【００９９】
なお、図９では、光学的情報の読取結果により、光学的情報処理内容を切り換えたが、光学的読取装置１０３のプログラムにて複数の読取モードを有しておりこれらの切り替えによりマクロラベル読み取りモードに切り換えて、マクロラベルを読み取ることで該当処理を実行させることもできる。
【０１００】
図１１はマクロラベルの一実施例を示す図である。
【０１０１】
図１１において、光学的情報読取装置１０３の機能をマクロラベルとして定義する。ここでは機能呼び出しのための識別子として「＄」を使用している。
【０１０２】
ここで図５のフローチャートに示す処理をマクロラベルで記載する場合は、ＵＲＬ入力前処理、ＵＲＬ入力処理、ＵＲＬ入力後処理に対応するマクロラベルをさがし、その表記を図７の設定データ部に並べることで該当する処理を実行可能なマクロラベルとなる。
【０１０３】
図１１よりＵＲＬ入力前処理はＣ１、動作パラメータ格納部１１６のＵＲＬを送信する処理はＵＬ、ＵＲＬ入力後処理はＣ２であるので、これらの表記を識別子＄で挟むことで  ＄Ｃ１ＵＬＣ２＄  で表記したマクロラベルにて図５に示すフローチャートの処理を実現することが可能である。この＄Ｃ１ＵＬＣ２＄で示されるデータを光学的情報１０４に格納し、光学的情報読取装置１０３にて読み取ることで、光学的情報読取装置１０３の内部プログラムがマクロラベルであることを識別して、各Ｃ１、ＵＬ、Ｃ２などのマクロ情報を逐次実行する。
【０１０４】
また図６のメール送信処理についても、同様にメール入力前処理はＭ１、メモリ内データ送信処理はＣＳ、メール入力後処理はＭ２であるので、これらの表記を識別子＄で挟むことで  ＄Ｍ１ＣＳＭ２＄  で表記したマクロラベルにて図６に示すフローチャートの処理を実現することが可能である。
【０１０５】
次にメール送信処理を図６から図１０に変更する場合について説明する。
【０１０６】
図１０は、システムの運用において各種要望が発生した場合のフローを示す図である。従来はこのような複数のデータを任意の場所に配置して送信する場合は、プログラム変更により対応し、このプログラムを光学的情報入力装置１０３に転送して使用していたが、マクロラベルにより動作制御が可能な本発明の光学的情報読取装置１０３では、メール送信処理を実行するときに読み取る光学的情報１０４のデータを、前記の  ＄Ｍ１ＣＳＭ２＄から  ＄Ｍ１ＩＤＴＬＢＬＰＶＣＳＤＡＭ２＄  に変更するだけで、対応が可能である。
【０１０７】
これは、図１０に示すＳＴＥＰ１００１〜ＳＴＥＰ１００８の各処理を図１１に示す表記に従って置き換えてマクロラベルのデータとしている。
【０１０８】
光学的情報読取装置１０３はこのマクロラベルを読み取り、該当マクロ処理を実行し、図１０におけるＳＴＥＰ１００１〜ＳＴＥＰ１００８の各処理を逐次実行することで、変更後の処理を実現することが可能である。
【０１０９】
図１１には、光学的情報読取装置１０３の動作だけでなく、クエスチョンマーク、スラッシュ、カンマ等の符号を送信する表記も含まれている。これは可変長のデータを携帯電話１０２に送信する際に、データの区切り位置を明確に示すために利用する。
【０１１０】
またプログラムバージョンの送信機能は、業務用サーバ１０１に使用者が有している光学的情報読取装置１０３のプログラムバージョンと光学的情報読取装置１０３の識別番号とユーザＩＤを送信する。業務用サーバ１０１は光学的情報読取装置１０３のプログラムバージョンと光学的情報読取装置１０３の識別番号とユーザＩＤとをリンクさせて管理する。
【０１１１】
プログラムバージョンは、ユーザＩＤとリンクさせることで使用者の情報の一部となる。光学的情報読取装置１０３の内部プログラムのバージョンアップで、市場に存在する光学的情報読取装置１０３のプログラムバージョンが複数になった場合に、旧バージョンを有している使用者に対して光学的情報読取装置１０３の交換通知を出すなど、新バージョンのみが対応可能なマクロラベルを旧バージョンの光学的情報読取装置の使用者に送付しない等のバージョンアップ管理に使用することが可能である。
【０１１２】
また電池電圧は、ユーザＩＤとリンクさせることで使用者の情報の一部となる。光学的情報読取装置１０３は電池電圧送信がマクロ表記により可能である。この機能を利用して、光学的情報読取装置１０３から業務用サーバ１０１に送信するＵＲＬ情報、メール情報にユーザＩＤと電池電圧情報を添付することで、使用者が有している光学的情報読取装置の駆動用に利用している乾電池、バッテリーなどの電源電圧を業務用サーバ１０１にて管理することができる。
【０１１３】
電池電圧が低下しているときに、次の補充用電池を発送したり、該当使用者に連絡したりすることで、電池切れによりシステムが使用できない等の事態を防止することが可能である。またこれらのマクロはそれぞれ単独でも使用することができるし、前述の通り数種類を組み合わせて使用することもできる。
【０１１４】
次に動作パラメータ変更用マクロラベルについて説明する。
【０１１５】
図１２は動作パラメータ変更用ラベルの一実施例を示す図である。光学的情報読取装置の動作パラメータ格納部１１６に格納される動作パラメータには、光学的情報読取装置の識別番号、携帯電話１０２を利用して接続するためのＵＲＬ情報、メール送信時に利用するメール宛先情報、メールタイトル情報などがある。
【０１１６】
これら設定情報をマクロラベルにて識別するための識別子の一例として  「＃」を利用している。光学的情報読取装置１０３ではこの予め定められた識別子「＃」に挟まれた設定データを、動作パラメータ格納部１１６に格納される動作パラメータに対応付けして変更する機能を有している。
【０１１７】
図１２に示す例では識別子に隣接するキャラクタ、たとえばＮｏ．１キーマクロ登録の場合は「Ｌ」で以降の設定データはキーマクロに関するものであると定めている。
【０１１８】
また接続ＵＲＬなどの情報は比較的情報量が多いため、一枚のラベルに格納できず、設定するときに複数枚のラベルを読み取らせる必要がある場合がある。このような時はマクロラベルを複数枚に分割して１つの情報を設定することもできる。
【０１１９】
光学的情報読取装置１０３はキー入力部から得られる、キーの押下状況を識別して、各キーが押下されたときの動作もマクロにて登録することができる。
【０１２０】
例えば、光学的情報読取装置のキーが押されたときに、前述のメール送信処理を行いたいときは、図１２  Ｎｏ．１に示す通り  ＃ＬＭ１ＣＳＭ２＃  と記載することで、キー押下時にメール送信処理を実行することが可能である。
【０１２１】
次にマクロラベルの作成について説明する。
【０１２２】
図１３はマクロラベルの作成の一実施例を示す図である。
【０１２３】
図１３に示すように各種マクロ表記を組み合わせることで、光学的情報読取装置の有する機能を利用したデータフォーマットや、光学的情報読取装置の動作定義することが可能である。
【０１２４】
以上の説明において光学的情報１０４の例としてバーコードラベルを用いて説明したが光学的情報１０４として２次元コード、光学的文字（ＯＣＲ−Ｂフォント）等を利用しても同様の作用を得ることができる。
【０１２５】
マクロラベルの配付は郵送にて行ってもよいし、インターネット上に電子ファイルを公開し、これを使用者がダウンロードしてプリントアウトして使用してもよい。
【０１２６】
また、近年普及してきた携帯電話１０２から制御可能なプリンタにて、携帯電話１０２にマクロラベルのデータを送り、このプリンタにてマクロラベルを印刷することも可能である。この方法を採用することで、業務用サーバ１０１から、市場に存在する光学的情報読取装置１０３の動作内容を従来に比べて飛躍的に容易に実現することが可能となる。
【０１２７】
また、携帯電話１０２の表示部１０７に表示したラベルを読取可能な光学的情報読取装置１０３を使用すれば、携帯電話１０２の表示部１０７にマクロラベルのデータを表示させ、光学的情報読取装置１０３により直接読み取ることも可能である。
【０１２８】
【発明の効果】
以上のように本発明によると、マクロラベル機能を有する光学的情報読取装置１０３では、システムでの光学的情報読取装置１０３の機能変更が必要になったときは、マクロラベルを光学的情報読取装置１０３の使用者に送付するだけでよく、従来のように市場に配付してしまった光学的情報読取装置１０３を回収しなくても対応可能となる。
【０１２９】
マクロラベルの送付は郵送で行うこともできるし、インターネットにて電子データとして公開し、使用者がダウンロードしてプリントアウトして使用することもできる。
【０１３０】
このことにより、本発明の光学的情報読取装置１０３を用いたシステムではシステム運用における柔軟性を大幅に向上すると供に、従来は市場に配付した光学的情報読取装置の機能変更の際に必要となっていた、市場からの回収費用などの面で、システム運用コストを大幅に削減するという多大な効果を奏する。
【図面の簡単な説明】
【図１】本発明のシステム構成を示す図
【図２】インターネット接続・閲覧機能付き携帯電話の画面構成を示す図
【図３】業務用サーバ３０１のデータ格納部１１１に格納されている商品マスタの有する情報の一実施例を示す図
【図４】光学的情報読取装置１０３のブロック図の一例を示す図
【図５】インターネット接続処理のフローを示す図
【図６】メール送信処理のフローを示す図
【図７】マクロラベルの内部に格納されるデータ構成を示す図
【図８】マクロ識別子と意味の一例を関連付けした図
【図９】光学的情報読取装置１０３に格納されるプログラムのフロ−を示す図
【図１０】システムの運用において各種要望が発生した場合のフローを示す図
【図１１】マクロラベルの一実施例を示す図
【図１２】動作パラメータ変更用ラベルの一実施例を示す図
【図１３】マクロラベルの作成の一実施例を示す図
【図１４】従来のシステム構成を示す図
【図１５】従来の業務用サーバより提供される画面の一例を示す図
【図１６】従来の業務用サーバに格納されている商品マスタの情報の一実施例を示す図
【符号の説明】
１０１  業務用サーバ
１０２  インターネット接続・閲覧機能付き携帯電話
１０３  光学的情報読取装置
１０４  光学的情報
１０５  携帯電話のキーボード
１０６  携帯電話のサーバとのデータ送受信部
１０７  携帯電話の表示部
１０８  光学的情報読取装置の表示部
１０９  光学的情報読取装置のキー入力部
１１０  光学的情報読取装置と携帯電話の通信手段
１１１  データ格納部
１１２  結像部
１１３  プログラム格納部
１１４  読取データ格納部
１１５  制御手段
１１６  動作パラメータ格納部
１１７  受光部
１１８  復号部
１１９  入出力ポート
３０１  従来の業務用サーバ
３０２  従来のインターネット接続・閲覧機能付き携帯電話
３０３  従来の光学的情報読取装置
３０４  従来の光学的情報
３０５  従来の携帯電話のキーボード
３０６  従来の携帯電話のサーバとのデータ送受信部
３０７  従来の携帯電話の表示部
【図１】
2004326686.tif 000003
【図２】
2004326686.tif 000004
【図３】
2004326686.tif 000005
【図４】
2004326686.tif 000006
【図５】
2004326686.tif 000007
【図６】
2004326686.tif 000008
【図７】
2004326686.tif 000009
【図８】
2004326686.tif 000010
【図９】
2004326686.tif 000011
【図１０】
2004326686.tif 000012
【図１１】
2004326686.tif 000013
【図１２】
2004326686.tif 000014
【図１３】
2004326686.tif 000015
【図１４】
2004326686.tif 000016
【図１５】
2004326686.tif 000017
【図１６】
2004326686.tif 000018